Podtech/llm-jp-corpus-v4-ja_patent huggingface dataset:
(57)【要約】【課題】  演色性の改善が可能な無電極放電灯を提供する。【解決手段】  水銀蒸気を含む放電ガスが封入されたバルブを有する無電極放電灯において、バルブの内面には、紫外線を可視光に変換する蛍光体を含む蛍光膜が設けられている。蛍光膜には黄色の無機材料からなる顔料が含まれており、この顔料を混合する割合（混合率）を適宜の値とすることで、相対光量の低下を抑えつつ、平均演色評価値Ｒａを高くすること（つまり、演色性を改善すること）ができる。【選択図】図１
2012151044.tif 000002
【特許請求の範囲】
【請求項１】
透光性を有する材料からなるバルブを有し、
前記バルブには水銀蒸気を含む放電ガスが封入されていて、
前記バルブの内面には、紫外線を可視光に変換する蛍光体を含む蛍光膜が設けられていて、
前記蛍光膜には黄色の無機材料が含まれていることを特徴とする無電極放電灯。
【請求項２】
前記無機材料は顔料であることを特徴とする無電極放電灯。
【請求項３】
前記無機材料は蛍光体であることを特徴とする無電極放電灯。
【発明の詳細な説明】
【技術分野】
【０００１】
本発明は、無電極放電灯に関するものである。
【背景技術】
【０００２】
従来から、図２に示すように、例えばガラスのような透光性を有する材料からなるバルブ１１内に放電ガスが封入された無電極放電灯１が提供されている。放電ガスとしては希ガス（例えばアルゴンガス）と水銀蒸気とからなるものが用いられる。また、バルブ１１の内面には、紫外線を可視光に変換する蛍光体からなる蛍光膜１２が塗布される。さらに、バルブ１１内には、水銀蒸気の発生源となるアマルガムを保持した容器１３が収納されている。
【０００３】
上記のような無電極放電灯１は、誘導コイル２に近接配置して用いられる。図２の例では、バルブ１１の外面に凹部１１１が設けられており、この凹部１１１内に誘導コイル２が配置されている。
【０００４】
すなわち、外部の高周波電源３から誘導コイル２に高周波電流が供給されると、誘導コイル２が高周波の電磁界を発生させ、この電磁界によって無電極放電灯１のバルブ１１内に放電が発生する。すると、上記の放電ガスが励起されて紫外線を発生させ、この紫外線が上記の蛍光膜１２において可視光に変換されることで、無電極放電灯１が発光する。無電極放電灯１の光のスペクトルは、蛍光膜１２に含まれる蛍光体毎のピークを有し、例えば図３のようなものとなる。
【０００５】
無電極放電灯１は、熱陰極形の放電灯と比較して、電極の損耗による不点灯が発生しないから長寿命であるという利点がある。
【先行技術文献】
【特許文献】
【０００６】
【特許文献１】特開２００４−２８１３０６号公報
【発明の概要】
【発明が解決しようとする課題】
【０００７】
しかしながら、水銀蒸気は励起された際に紫外線だけでなく青色の可視光も発生させるので、従来の無電極放電灯１では演色性が低くなることがあった。図３の例では、波長４０７ｎｍ，４３６ｎｍ，５４６ｎｍのピークが、それぞれ水銀蒸気に由来する上記の青色の可視光である。
【０００８】
本発明は、上記事由に鑑みて為されたものであり、その目的は、演色性の改善が可能な無電極放電灯を提供することにある。
【課題を解決するための手段】
【０００９】
本発明の無電極放電灯は、透光性を有する材料からなるバルブを有し、前記バルブには水銀蒸気を含む放電ガスが封入されていて、前記バルブの内面には、紫外線を可視光に変換する蛍光体を含む蛍光膜が設けられていて、前記蛍光膜には黄色の無機材料が含まれていることを特徴とする。
【００１０】
この無電極放電灯において、前記無機材料は顔料であってもよい。
【００１１】
または、この無電極放電灯において、前記無機材料は蛍光体であってもよい。
【発明の効果】
【００１２】
本発明によれば、蛍光膜に含まれる黄色の無機材料により、バルブ内の水銀蒸気に由来する青色光を減衰させることで、演色性の改善が可能である。
【図面の簡単な説明】
【００１３】
【図１】本発明の実施形態において平均演色評価数及び相対光量と混合率との関係を示す説明図である。
【図２】無電極放電灯の使用状態を示す断面図である。
【図３】無電極放電灯の光のスペクトルの一例を示す説明図である。
【発明を実施するための形態】
【００１４】
以下、本発明を実施するための最良の形態について、図面を参照しながら説明する。
【００１５】
本実施形態の基本構成は図２に示した無電極放電灯１と共通であるので、共通する部分についての図示並びに説明は省略する。
【００１６】
本実施形態は、蛍光膜１２の組成を特徴としている。詳しく説明すると、本実施形態において、蛍光膜１２は、紫外線を可視光に変換する蛍光体と、黄色の無機材料である顔料とが混合されたものである。蛍光膜１２における上記の顔料の重量パーセントを、以下では混合率と呼ぶ。つまり、蛍光膜１２における上記の蛍光体の重量パーセントは、１００から混合率を減じたものとなる。
【００１７】
上記の蛍光体の組成としては、青色光を発生させる蛍光体であるＢａＭｇＡｌ１４Ｏ２３：Ｅｕが５重量パーセント、緑色光を発生させる蛍光体であるＣａＰＯ４が４２重量パーセント、赤色光を発生させる蛍光体である（Ｙ，Ｇｄ）ＢＯ３：Ｅｕが５３重量パーセントである。蛍光膜１２全体の中での上記の各蛍光体の重量パーセントの値は、それぞれ、上記の数値に、１００から混合率を減じた値を乗じて１００で除した値となる。
【００１８】
また、上記の顔料は、水銀が励起されたときに発生させる青色の可視光を吸収するものである。このような顔料としては、例えば、クロム酸系、硫化カドミウム、亜硝酸第二コバルトカリ、チタンニッケルアンチモン酸化物、チタンニッケルバリウム酸化物など、周知の顔料を用いることができる。
【００１９】
ここで、図１に、横軸には混合率をとり、縦軸に平均演色評価数Ｒａをとったグラフを実線Ａで示し、混合率を０％としたときの無電極放電灯１の光量を基準光量としこの基準光量に対する比率として表現された無電極放電灯１の光量（以下、「相対光量」と呼ぶ。）を縦軸にとったグラフを破線Ｂで示す。
【００２０】
図１によれば、混合率を２％〜８％とすれば、蛍光膜１２に顔料を含まない場合（すなわち混合率が０％の場合）に比べて平均演色評価数Ｒａが５以上改善され、且つ、９０％以上の相対光量を確保することができる。
【００２１】
また、蛍光膜１２に添加する黄色の無機材料としては、上記のような顔料に代えて、無電極放電灯１内の水銀が発生させる青色光を黄色光に変換する蛍光体を用いれば、顔料を用いる場合に比べて無電極放電灯１の光量の低下が抑えられる。上記のような蛍光体としては、例えば、Ｙ３Ａｌ５Ｏ１２：Ｃｅを用いることができる。
【符号の説明】
【００２２】
１  無電極放電灯
１２  蛍光膜
【図１】
2012151044.tif 000003
【図２】
2012151044.tif 000004
【図３】
2012151044.tif 000005
(57)【要約】【課題】  蛍光ランプとして中空状の発光体を使用した場合、ランプの光は中空内面にも照射されることになりランプの光を効率よく放射しているとはいえない。また、動作を安定させる為、電球内温度の低減、冷陰極管の点灯動作を安定させる機構を提供する。【解決手段】  電球内に内部を空洞とした表面が導体である鏡面内管を設ける。【選択図】図１
2012164622.tif 000002
【特許請求の範囲】
【請求項１】
電球内に発光体に近接した反射管を備えた電球。
【請求項２】
前記反射管は表面が導体であることを特徴とする請求項１記載の電球。
【請求項３】
前記反射管は内部が空洞であることを特徴とする請求項１記載の電球。
【発明の詳細な説明】
【技術分野】
【０００１】  この発明はランプの光を効率よく外部へ放射する反射管に関するものである。【０００２】  冷陰極蛍光ランプを用いた蛍光管型照明器の動作安定に関するものである。【０００３】  反射管内を空洞化することにより空間の有効利用が出来る事に関するものである。
【背景技術】
【０００４】  蛍光ランプが図３形状の場合、図４のように電球内部や下方向に向けても光が放射されている為、効率よく光を放射しているとはいえない。【０００５】  冷陰極蛍光ランプを用いた場合、導体が近づくと点灯動作が安定しないという問題があった。【０００６】  電球内の狭い空間に構成部品が密集している為、高温になり回路の寿命が短くなるという問題があった。
【先行技術文献】
【特許文献】
【０００７】
【特許文献１】  特許第４５９８７７７号公報
【０００８】  漏洩電流とは、冷陰極管とその外部の導体（例えば、ＰＥＴに銀をスパッタリングした導電性の反射シート）との間に形成される寄生容量（または浮遊容量）を介して外部の導体に漏洩する電流をいう。すなわち、点灯状態の冷陰極管の内部に生成される陽光柱プラズマは導体であり、この導体と外部の導体の間でコンデンサが形成される。これが寄生容量である。
【発明の概要】
【発明が解決しようとする課題】
【０００９】  蛍光ランプが図３のように螺旋形状のランプにおいても、効率よく光を外部へ放射できるようにすることを目的とするものである。【００１０】  蛍光管に冷陰極蛍光ランプを用いた場合、冷陰極管は周りの導体との間に寄生容量を持ち、導体が近接すると寄生容量が変化し、発光が不安定となる問題を解消するものである。【００１１】  電球内の空間を大きくすることにより放熱処理が行え、電球内温度を低減する。また、筺体を小型化することを目的とするものである。
【課題を解決するための手段】
【００１２】  図１のように電球内に内部を空洞とした表面が導体である鏡面内管を設置することで、上記課題を解決したものである
【発明の効果】
【００１３】  内側への光放射を外側へ変換し光放射能力を最大限に活かすという利点がある。【００１４】  蛍光管に冷陰極蛍光ランプを用いた場合、近接して導体鏡面内管があることから、寄生容量が一定化するため、発光を安定させる事が出来る。【００１５】  電球内の空間が大きくなることにより部品の密集を抑え、電球内の温度上昇を低減する，また、筺体を小型化することが出来る。
【図面の簡単な説明】
【００１６】
【図１】本照明装置の分解図を示した図である。
【図２】本照明装置の全体図である。
【図３】本照明装置の発光部螺旋形状のランプを示した図である。
【図４】本ランプの光の放射方向を示した図である。
【発明を実施するための形態】
【実施例１】
【００１７】  以下、本発明に係る実施形態を図面に基づいて詳細に説明する。図１は本発明に係る照明装置の分解視図である。【００１８】  図１に示すように、本発明の照明装置は、光源２と、光源２から照射される光を反射する反射管３と、光源２を動作させるインバーター装置４、反射管３が装着・固定される電球本体５と、口金６とを備える。【００１９】  光源２は、熱陰極管、冷陰極管、ハロゲンランプ、ＬＥＤ素子、有機ＥＬ素子、無機ＥＬ素子、メタルハライドランプ、などであり、インバーター装置４から電力の供給を受けて発光し、光を放射状に照射する。本実施形態では、冷陰極管を採用している。【００２０】  反射管３は、光源（冷陰極管）２から放射状に照射される光を反射し、照射面に向かって照射するものであり、金属基材やポリブチレンテレフタレート基材に金属膜が表面処理されてなるものが例示される。【００２１】  反射管３は、例えば、ポリブチレンテレフタレートなどによって形成されており、光源（冷陰極管）２、略中空円筒状のフード部１、電球本体５が装着される。【００２２】  なお、本発明の照明装置は、前述した実施形態に限定されるものでなく、適宜な変形，改良等が可能である。【００２３】  その他、前述した実施形態において例示した光源，反射管，電球本体，口金等、の材質，形状，寸法，形態，数，配置個所等は本発明を達成できるものであれば任意であり、限定されない。
【符号の説明】
【００２４】  １  ・・・  略中空円筒状のフード
２  ・・・  光源
３  ・・・  反射管
４  ・・・  インバーター装置
５  ・・・  電球本体
６  ・・・  口金
【図１】
2012164622.tif 000003
【図２】
2012164622.tif 000004
【図３】
2012164622.tif 000005
【図４】
2012164622.tif 000006
(57)【要約】【目的】全国瞬時警報システム（Ｊ−ＡＬＥＲＴ）は、同報無線自動起動装置と呼ばれる装置により、消防庁／気象庁からの電文を衛星受信設備を介し、同報無線設備全体を起動させるものである。本書における発明は、同報無線自動起動装置における設定内容の記録媒体を、本体に内蔵する。本発明は、同報無線自動起動装置に関し、保守作業の簡素化と誤動作・外部衝撃による動作不良の低減を目的とする。【構成】設定情報を記録する媒体であるＣＦカードにおいて、その媒体を本体内に内蔵することを特徴とした同報無線自動装置である。【選択図】図２
2012164257.tif 000002
【特許請求の範囲】
【請求項１】
設定情報を記録する媒体であるＣＦカードにおいて、その媒体を本体内に内蔵することを特徴とする同報無線自動装置。
【請求項２】
設定情報の書き換えがカードリーダーを介する事において、その書換えを、本体へ取り付けたＵＳＢポートを介して行うことを特徴とする、請求項１に記載の同報無線自動装置。
【発明の詳細な説明】
【技術分野】
【０００１】
本発明は、デジタル防災無線設備における作業・保守の効率化、および誤動作や外部衝撃による動作不良の低減を図るものである。
【背景技術】
【０００２】
本書における同報無線自動起動装置（以下、自動起動装置と記す）とは、全国瞬時警報システムであるＪ−ＡＬＥＲＴの衛星受信設備と同報無線設備の間に設置され、衛星受信設備の解析装置から受信した電文に従って、起動、警報音声を通報するものである。
【０００３】
図１に示す通り、警報音声を記録する媒体にＣＦカード１２を用い、通常はそれを同報無線自動起動装置１０のＣＦカードスロット１１に挿して使用する。なお、ＣＦカードには警報音声の他、設置する市町村のコード番号や、流す音声の起動条件など（以下「設定情報」と記す）を記録しておくが、これらの書き換えは全てＣＦカードリーダー１３を介してパソコン１４(以下「保守用ＰＣ」と記す)を用いる。
【０００４】
例えば特許文献１では、保守用ＰＣへのインターフェースとしてＵＳＢ接続を用いて、処理履歴を保存する手段が述べられている。
【先行技術文献】
【特許文献】
【０００５】
【特許文献１】特開２００４−１７１３８０号公報
【発明の概要】
【発明が解決しようとする課題】
【０００６】
従来の技術では、自動起動装置の保守の際、ＣＦカードを抜く必要がある。基本的に、自動起動装置の電源が切れていない状態でＣＦカードを抜くと、装置側では動作異常と判別される。そのため、保守の際は自動起動装置の電源を一度切る必要がある。さらに、ＣＦカードの挿入口は装置の表側に搭載されるため、誤ってＣＦカードが抜かれる可能性もある。
【０００７】
また、前記特許文献１による方法は、記録装置はあくまでも外部に存在するものであって、記録するための中間媒体が必要であることには変わりはない。
【課題を解決するための手段】
【０００８】
前記課題を解決するために本発明は、記録媒体をＣＦカードから、フラッシュメモリへ変え、またそれを本体へ内蔵する。さらに本体へＵＳＢポートを設ける事により、保守用ＰＣから専用のケーブルを使い保守を行えるようにしたものである。
【０００９】
また本発明は、設定情報を記録する媒体であるＣＦカードにおいて、媒体を自動起動装置本体へ内蔵する事を特徴とする。なお、記録媒体として用いるものは耐久性面を考慮すると、ＨＤＤよりも、Ｆｌａｓｈ
ＳＳＤ（シリコンディスク）が適する。また、その設定情報の書き換えをカードリーダーに代わり、ＵＳＢポートを介して行い、多くの保守用ＰＣとの互換性、汎用性を拡張する。
【発明の効果】
【００１０】
本発明によれば、記録媒体が内蔵されることにより、本体外部より誤って記録媒体に触れる、あるいは外してしまう事による動作障害を防止する事が可能である。さらには、記録媒体を取り外し、カードリーダー等の装置を介する手間がないため、作業効率の向上につながる。
【図面の簡単な説明】
【００１１】
【図１】従来の技術であり、自動起動装置中にＣＦカードスロットが存在している事を示唆している。
【図２】新規の技術であり、自動起動装置の本体中にＣＦカードの代替媒体であるフラッシュメモリを内蔵し、そのフラッシュメモリの制御をするため、ＵＳＢポートを設けている。
【発明を実施するための形態】
【実施例】
【００１２】
添付図面は同報無線システムの中より、本発明の対象である自動起動装置と保守用ＰＣの部分のみを簡素な図として挙げ、改良部分が比較できる状態としている。図２に、新規技術の実施例を示す。本図は、同報無線システムの一部であり、新規技術の対象となる同報無線自動起動装置１０と保守用ＰＣ１４の部分のみを記載している。
【００１３】
新規技術は、前述の装置をＵＳＢポート２２を介してＵＳＢケーブルで接続し、保守用ＰＣ１４から同報無線自動起動装置１０の内蔵メモリ２１に記録されている内容の書き換えを行うことが出来る。なお、内蔵メモリにはハードディスク(以下、ＨＤＤと記す)ではなく、フラッシュメモリを搭載する。
【００１４】
同報無線自動起動装置１０は、固定系の設備であるため、通常時には衝撃や振動等の外的要因は少ないものの、緊急災害時に機能しなければならない装置であることから、外部からの衝撃に充分に耐える状態でなければならない。また、本設備は、緊急災害時の本動作をせずとも、大方の場合は待機画面である事が常である。
【００１５】
以上の事から、内蔵の記録媒体は、省電力、耐衝撃性、高速なアクセスに優れているフラッシュメモリを用いる。
【００１６】
一方、フラッシュメモリは容量単価の面ではＨＤＤに劣るが、記録すべき内容は大容量を有するものではないため、現状であれば数ＭＢ単位の記録容量でもシステムの動作には問題はないと考えられる。
【符号の説明】
【００１７】
１０…同報無線自動起動装置、  １１…ＣＦカードスロット、
１２…ＣＦカード、  １３…ＣＦカードリーダー、
１４…保守用ＰＣ、
２１…内蔵メモリ、  ２２…ＵＳＢポート。
【図１】
2012164257.tif 000003
【図２】
2012164257.tif 000004
(57)【要約】      （修正有）【課題】インターネット上に設けたサーバー又は、自分自身のパーソナルコンピュータ上に、自分自身の所有するファッション製品の映像を保存し、所有しているファッション製品のデータ管理を容易にする。【解決手段】保存されたファッション製品の映像と組み合わせて、携帯電話や、パーソナルコンピュータ上で、購入を考慮中の製品と合うかどうかを、映像により組み合わせて、検討が容易にできるようにした。その上、ネットオークションにも所有製品の掲載が安易にできる。【選択図】図１
2012164294.tif 000002
【特許請求の範囲】
【請求項１】
インターネット上又は、自己所有のパーソナルコンピュータ上に、ファッション、衣類製品等のデータを、保存し、データ管理、データの組み合わせをできる様にしたビジネスモデル。
【請求項２】
自己所有のファッション、衣類製品を、ネットオークションに保存情報から、ワンクリック又は、ダブルクリックだけで、掲載可能にしたビジネスモデル。
【発明の詳細な説明】
【発明が解決しようとする課題】
【０００１】  現在インターネットを利用した通信販売であらゆる物が、販売され、購入額も急増している。
この様な環境下で、衣料品のインターネットによる購入量も販売額が、増大している。通信販売に限らず、通信販売、通常の店舗販売でも各自が、どの様な衣服、色柄・デザイン等のものを、所有しているか、完全に把握する事は、困難で、所有している衣服に合わせることが、難しい物を、衝動買いしてしまい、合わず仕舞いで、一度も袖を通さない等の不測は、多々生じる事態である。
【発明の詳細な説明】
【０００２】  上記のような事態を、解決する為には、インターネットの普及が効力を発揮する事になる。
インターネット通販において、衣服、靴、アクセサリー等ファッションに関する物の映像をモデル着用でなく、衣服を中心にしたファッション製品の映像をデータベースに登録しておき、映像を消費者が、ダウンロードして、同じ様に購入したファッション製品の映像をデータとして保存しておいた物とコンピュータ上で組み合わせて、購入しようとしている物が、既に所有している物とコーディネートして合っているかどうかを、検討できる様にする。
図面１で、説明すると、▲１▼のネット通販会社サーバー上から好みの商品の映像をダウンロードして▲６▼の各自所有のパーソナルコンピュータ又は、携帯電話のディスプレーに表示する。
また、各自所有の衣服情報等を、自分所有のネットサーバー又は、自己所有のパーソナルコンピュータの中に保存してある▲８▼の映像情報を▲６▼のディスプレー上に表示して、組み合わせて合うかどうかの検討をする。▲９▼の情報も、携帯電話、スマートホン等で、ＱＲコードで製品の映像情報を読み取り、上記の様に組み合わせを検討する。気に入った商品は、購入して、映像情報・サイズ・購入日時等のデータを自己所有のパーソナルコンピュータ又は、ネット上サーバーに保存する。
【０００３】  購入した、ファッション製品のサイズ、日付、使用頻度等を、ネット上、又は、自分所有のパーソナルコンピュータに、携帯電話を利用しても、確認及びデータの保存が、できるようにして、データとして保存する。
このデータを利用して、図面２で、示すように自己所有している衣類等を、使用頻度が少ない、サイズが合わない等の、所有していても不都合な商品を、▲１０▼のネットオークションに掲載して、売る事ができる。
【発明の効果】
【０００４】  コーディネートしづらい様な無駄な買い物が、抑制できる。
【０００５】  自分の所有している、ファッション製品の管理が、容易になる。
【０００６】  店頭販売のファッション製品の映像を、ＱＲコード等を利用して、データベースに取り込めるようにすることで、この効果は、より一層増大する。
【０００７】  このシステムから、ネットオークションに直ぐに掲載できるようにする事で、不要なファッション製品の、処理も安易にできるようになる。
【図面の簡単な説明】
【図１】  ▲１▼は、ネット通販会社サーバー。▲２▼は、ネットクローゼット（当発明の）サーバー。▲３▼は、インターネット。▲４▼は、各自所有のパーソナルコンピュータ。▲５▼は、各自所有の携帯電話。▲６▼は、各自所有のパーソナルコンピュータ又は、携帯電話のディスプレー。▲７▼は、ネット通販会社に掲載されている商品映像  ▲８▼は、当発明各自契約済みのネットクローゼットサーバー上又は、各自所有のパーソナルコンピュータ上に保存してある各自所有の衣類映像。▲９▼は、店頭販売している商品に添付されているＱＲコード。
【図２】  ▲１▼は、ネット通販会社サーバー。▲２▼は、ネットクローゼット（当発明の）サーバー。▲３▼は、インターネット。▲４▼は、各自所有のパーソナルコンピュータ。▲５▼は、各自所有の携帯電話。▲６▼は、各自所有のパーソナルコンピュータ又は、携帯電話のディスプレー。▲７▼は、ネット通販会社に掲載されている商品映像  ▲８▼は、当発明各自契約済みのネットクローゼットサーバー上又は、各自所有のパーソナルコンピュータ上に保存してある各自所有の衣類映像。▲９▼は、店頭販売している商品に添付されているＱＲコード。▲１０▼は、ネットオークション。
【図１】
2012164294.tif 000003
【図２】
2012164294.tif 000004
(57)【要約】【課題】  共通電子住所録は、その形式を標準化することにより、あらゆる産業分野で共同利用をおこない、個別のデータ入力作業あるいは手作業による記入を省力化することを目的とする。【課題を解決するための手段】  共通電子住所録は、ある個人または法人が所有する住所録を標準形式で記録し、持ち運びが容易な小型電子記録媒体に保存することにより、持ち運びを容易にし、あらゆる場所で利用が可能となる。  標準形式とは、例えば、「任意番号・氏名・郵便番号・住所１・住所２・住所３・電話番号・ｅメールアドレス・法人名１・法人名２・法人部署名・法人肩書・法人連絡先電話番号・覚え書き／備考」を１件の単位のコンマ区切りのＣＳＶデータとする。標準形式の共通電子住所録は、所有者自身の情報１件と自身以外の複数件を、１つの単位として保存できるものとする。【選択図】なし【特許請求の範囲】
【請求項１】
持ち運びが容易な小型電子記録媒体、例えばＩＣカード、フラッシュメモリ、ＳＤカードなどに共通電子住所録として保存し、それらを共同利用する全てのビジネスモデル。
【請求項２】
共通電子住所録の利用を特定の個人または法人に限定せず、一定の利用料支払いと規則のもとに共通電子住所録を誰もが共同利用可能とするビジネスモデル。
【発明の詳細な説明】
【技術分野】
【０００１】
本発明は電子的に記録される住所録の記録方式の共通化と共通利用のビジネスモデルに関する。
【背景技術】
【０００２】
例えば所有者自身が旅行先などの店舗において、友人にお土産ものを購入し発送する場合、電子的な住所録を所持していたとしても、そのデータを直接利用して配送伝票を印字することは出来ず、手作業またはキー入力により、発送伝票を作成しなければならず、非常に手間のかかる状況にある。また紙媒体などの住所禄を所持していたとしても、それを参照し、手作業またはキー入力により、配送伝票を作成しなければならず、同様に手間のかかる状況にある。
【先行技術文献】
【特許文献】
【０００３】
【特許文献１】特表２００２−５１２７０８（Ｐ２００２−５１２７０８Ａ）
【発明の開示】
【発明の効果】
【０００４】
例えば所有者自身が旅行先などの店舗において、友人にお土産ものを購入し発送する場合、共通電子住所録を保存したＩＣカードやその他の小型電子記録媒体を所持しており、且つ同共通電子住所録を読み込めるコンピュータなどの機器が店舗に設置されていれば、発送の際の配送伝票の記入は省力化され、複数件の発送の際にも確実に早く処理が可能となる。この場合の時間と手間の短縮は、所有者自身および店舗の商品販売促進にも大きな効果を発揮することができる。
【０００５】
例えば共通電子住所録を読み込め且つ、配送伝票が出力可能なコンピュータなどの機器をデパートなどの店舗が設置している場合、デパートなどの店舗はお中元、お歳暮、内祝いといった複数注文時の送り先記入は省力化され、住所録所有者自身および店舗の商品販売促進にも大きな効果を発揮することができる。
【０００６】
例えば共通電子住所録を読み込めるコンピュータなどの機器が公的機関あるいは民間機関の窓口に設置されている場合、所有者自身が各種申請書または届出書などを記入する作業は省略化され、本人認証や手続きの簡素化、時間短縮に大きな効果を発揮することができる。
【０００７】
共通電子住所録のデータは、必ずしも小型電子記録媒体のみで利用するに限らず、共通電子住所録を読み込み通信回線で送信することにより、受信した印刷会社がダイレクトメールや年賀状などの宛名印字を即座におこない所有者に納品するサービなどの新たなビジネス利用が可能となる。
【０００８】
共通電子住所録を記録したカードが統一規格化されれば、様々な電子認証カードが作成可能となる。
(57)【要約】【課題】インターネットの普及とショッピングサイトの増加により、消費者は容易な価格比較が可能となり、より安く商品を購入できるようになった。反面、それにより販売事業者は出店効率は上がるものの、過度な価格競争が生まれ営業利益の縮小による淘汰が進んでいるのも事実である。また、インターネット広告はページビューによる評価のみが優先され、アフィリエイトが導入されるものの、広告報酬目的のサイトの乱立と商品評価の信頼性の低下を生み、ネット広告の効果は急速に下がることとなった。【解決手段】本発明では、独自のカートボタンを設置し、広告報酬を商品購入時の「値引き」と「販売店への利益」に分配することで、広告を消費活動に効率的に利用し、「消費者への値引き」と「通信販売事業者の利益向上」の両立を可能にする。これにより広告主、消費者、販売店の３者に広告効果、商品値引きと営業利益増のメリットをもたらすことができる。【選択図】図１
2012164165.tif 000002
【特許請求の範囲】
【請求項１】
インターネット上で広告により発生する報酬の特定割合を、商品購入時の値引きに直接反映するシステム。
【請求項２】
インターネット上で広告により発生する報酬の特定割合を、販売店の利益に直接反映するシステム。
【発明の詳細な説明】
【技術分野】
【０００１】
本発明はインターネット広告の報酬を、ショッピング値引き、販売店への利益、および本発明を利用したシステム提供報酬に分配することで、消費者への商品ディスカウントと販売店の販売利益増を同時に実現するインターネット広告に関する発明である。
【背景技術】
【０００２】
インターネット広告の報酬の分配形態としては、紹介者が報酬を受け取るアフィリエイト、広告報酬をポイントに還元する方法(特許文献1)および(非特許文献1、２)、または広告閲覧者がお金を受け取る仕組み(特許文献2)等が挙げられるが、いずれもリアルタイムな報酬分配は行われず、また広告報酬そのものが目的となりがちで、直接的な消費に結ばれにくいといえる。更に、販売店の販売利益に広告報酬が分配される仕組みは現状で存在しない。
【先行技術文献】
【特許文献】
【０００３】
【特許文献１】特開２００３−５０９５０
【特許文献２】特開２００９−５３７８８
【非特許文献】
【０００４】
【非特許文献１】楽天ツールバー
【非特許文献２】CMサイト
【発明の概要】
【発明が解決しようとする課題】
【０００５】
従来のインターネット広告で発生する報酬は、その分配形態より直接的な消費行動に結びつきにくく、また下記のような問題が確認される。
（イ）アフィリエイト成果報酬を目的とした商品紹介ページの乱立と、商品評価の信頼性の低下。
（ロ）ポータルサイトによるランダムな広告表示によるコンバージョンの低下、広告の効果の低下。
（ハ）消費者が望まない過度の広告表示。
（二）価格比較ポータルサイト上の過度な価格競争による販売店の営業利益の損失。
【課題を解決するための手段】
【０００６】
ショッピングサイト上で利用される「カートボタン」の側辺に、本発明による「専用カートボタン」(例：「更に安く買う」ボタン）を設置し、購入者のクリックにより、関連するカテゴリの広告ポータルページを表示する。（図２）表示されるポータルページ上で購入者により行われる活動に応じて発生する広告報酬を「購入者への値引き」、「販売店への利益」と「システム提供者への報酬」に分配する。（図３）
【発明の効果】
【０００７】
広告費を購入者へのディスカウントと、通信販売事業者への利益に分配することで、「購入者への値引き」による直接的な消費活動の促進と「販売店の利益増」による収益向上の両立が可能となる。また容易に価格比較が可能なインターネット通信販売の問題点である「過度な価格競争」を抑制し、インターネット通信販売の利益率低下に対する抑制効果も期待できる。更には既存の海外大手広告ポータルに対し、より「広告による実需への貢献」が図れ、消費者の購入毎に発生する膨大なページビューは、純国産ポータルとしてネット業界への大きな貢献が期待できる。
【図面の簡単な説明】
【０００８】
【図１】広告収益分配システムのイメージ
【図２】ショッピングサイト上での利用イメージ
【図３】販売価格の変動と利益向上のイメージ（例）
【図４】システムフローチャート
【発明を実施するための形態】
【０００９】
ショッピングサイトにカテゴリに分類された広告データを持つ広告サーバー(アドサーバー)を接続し、ユーザーがショッピング時に「更に安く買う」ボタンを押すことにより、購入しようとする商品に関連したカテゴリの広告掲載ポータルページをアドサーバーにより表示する。広告に対してユーザーが任意の活動を行うことで発生する広告報酬から分配された「商品値引き」のための報酬と「販売店の利益」のための報酬をショップサーバーに送信し、ショップはユーザーの購入商品に対して値引きを行う。（図４）
【実施例】
【００１０】
ショッピングサイト上で消費者が「更に安く買う」ボタンを押したのち(ユーザー特定情報の送信についての同意を得)、現在消費者が購入しようとしている商品に関わるカテゴリの広告を集約したポータルページを表示する。(この際Cookie、ユーザー登録等によりユーザーは特定され、広告は重複しない)ポータルページ上で消費者が行う活動(閲覧、クリック、アフィリエイト、資料請求、アンケート回答、その他登録)に応じて発生する広告報酬を「商品ディスカウント」、「販売店利益」と「システム提供報酬」に分配し、うち「商品ディスカウント」と「販売店利益」をショッピングサイトに還元する。ショッピングサイトはユーザー購入商品のディスカウントを行い、かつ商品販売に対する広告報酬利益を得る。ユーザーが安く購入するほど、ショッピングサイトの利益は増えていく。
【産業上の利用可能性】
【００１１】
本発明はすべてのカート式ショッピングサイトに導入可能で、ユーザーへの値引きと販売店利益増の両立により、インターネット通信販売業界に大きな貢献が期待できる。またネット市場でショッピング毎に発生する膨大ページビューによりポータルサイトの媒体価値の向上も図ることができる。
【図１】
2012164165.tif 000003
【図２】
2012164165.tif 000004
【図３】
2012164165.tif 000005
【図４】
2012164165.tif 000006
(57)【要約】【課題】動作が速いリレーを、時限式リレー動作回路にて動作させると、過渡電圧がリレーに印加されたと同時に、リレーが誤動作する問題がある。【解決手段】リレーと並列にコンデンサを接続して、電圧が印加された直後の過渡状態で、リレーに印加される電圧の上昇を、コンデンサで抑制し、この電圧の印加時間は、コンデンサに電荷が蓄積されることにより、減少してゆくので、数[ms]程である。そのため動作が速いリレーの誤動作を防止している。【選択図】図１
2012164548.tif 000002
【特許請求の範囲】
【請求項１】
タイマー動作回路によりＯＮ−ＯＦＦするサイリスタ及び抵抗、第１のコンデンサによるスナバ回路に負荷としてリレーを接続して構成され、電圧印加直後に該リレーに印加される過渡電圧が抑制される時限式リレー動作回路において、該リレーと並列に接続される第２のコンデンサを具備することを特徴とする時限式リレー動作回路。
【発明の詳細な説明】
【技術分野】
【０００１】
本発明は、タイマー機能を持たせた回路で、負荷にリレーを接続して、動作させる回路に関するものである。
【背景技術】
【０００２】
時限式リレー動作回路内に電圧が印加された後、タイマー回路で指定された時間内は、電流は導通せず、リレーは動作しない。指定時間が経過後、電流が導通してリレーは動作する。
【０００３】
図２は、従来のタイマー回路と、リレーを接続した接続図である。
１００はタイマー回路、１０１はサイリスタ、１０２はリレー、１０３はコンデンサ、１０４は抵抗器である。１０３のコンデンサと１０４の抵抗器は、１０１のサイリスタのターンオン・ターンオフ時に発生するサージ電圧を減少させるスナバ回路である。
【０００４】
電圧がタイマー回路に印加された後、指定した時間内は、サイリスタをオフしており、指定時間経過後、サイリスタがオンして、接続されるリレーに電流が流れ、リレーが動作するものである。
【先行技術文献】
【特許文献】
【０００５】
【特許文献１】特開昭６１-３９８２３号公報
【発明の概要】
【発明が解決しようとする課題】
【０００６】
図２の接続図では、電圧印加直後、Ｄ点にリレーが動作するレベルの過渡電圧が印加され、リレーが指定されたオフ時間内に誤って動作する問題がある。(図３に示すタイムチャートを参照)
これは電圧印加直後、１０３のコンデンサに蓄積されている電荷は０[C]に等しく、コンデンサは導通状態となり、１０４の抵抗を通じて、リレー１０２(Ｄ点)に電圧が印加される為である。この電圧の印加時間は、コンデンサに電荷が蓄積されることにより、減少してゆくので、数[ms]程である。
この電圧レベルに対して、動作時間が遅いリレーを採用すれば、リレーは動作しないが、動作が速いリレーであれば、リレーが誤動作する可能性がある。
【課題を解決するための手段】
【０００７】
請求項1の発明によれば、タイマー動作回路によりＯＮ−ＯＦＦするサイリスタ、及び抵抗及び第１のコンデンサによるスナバ回路に負荷としてリレーを接続して構成され、電圧印加直後に該リレーに印加される過渡電圧が抑制される時限式リレー動作回路において、該リレーと並列に接続される第２のコンデンサを具備することを特徴とする。
【０００８】
すなわち、時限式リレー動作回路において、電源電圧を投入直後、リレーに印加される過渡電圧を抑制するために、リレーと並列にコンデンサを接続して、動作が速いリレー誤動作の防止を特徴とする。
【発明の効果】
【０００９】
本発明によると、タイマー回路、サイリスタ、リレー、コンデンサ、抵抗器を備えた時限式リレー動作回路において、電圧印加直後の過渡時におけるリレーの誤動作を無くすことができる。
【図面の簡単な説明】
【００１０】
【図１】本発明の実施方法を示した図である。
【図２】従来の実施例を示した図である。
【図３】図１・図２  各点の、電圧の状態を表したタイムチャートである。
【発明を実施するための形態】
【００１１】
電圧印加直後にリレーの誤動作防止という目的を、リレーと並列にコンデンサを接続することにより、実現した。
【実施例１】
【００１２】
図１は、本発明の１実施例であって、１００はタイマー回路、１０１はサイリスタ、１０２はリレー、１０３は第1のコンデンサ、１０４は抵抗器、１０５は第２のコンデンサである。
以上のように構成された本実施例の時限式リレー動作回路について、以下に動作説明をする。
まず、図１の接続図に於いて、電圧が印加され、タイマー回路が動作する。
電圧印加直後は、第1のコンデンサ１０３、及び第２のコンデンサ１０５には電荷が蓄積されておらず、電流が第1のコンデンサ１０３、抵抗器１０４、第２のコンデンサ１０５を通じて流れる。このため、リレー１０２(Ｃ点)に発生する過渡電圧レベルは、第２のコンデンサ１０５により、リレーが動作するレベル未満に抑制されることになる。(図３に示すタイムチャートを参照)
時間経過と共に第1のコンデンサ１０３、第２のコンデンサ１０５に電荷が蓄積され、電流が殆ど流れない状態となる。
タイマー回路１００にて、指定した時間が経過した後、タイマー回路１００はサイリスタ１０１のゲートに電流を流し、サイリスタ１０１はオンする。これにより、リレー１０２のコイルに電流が流れ、リレー１０２は動作する。
結果として、タイマー１００が動作している時間内に、動作時間が速いリレーを１０２に使用しても、誤って動作することは無くなる。
【産業上の利用可能性】
【００１３】
本発明によると、タイマー回路、サイリスタ、リレー、コンデンサ、抵抗器を備えた時限式リレー動作回路において、電圧印加直後の過渡時におけるリレーの誤動作を無くすことができる。このことにより、高い信頼性を持った製品を提供することが可能となる。
【符号の説明】
【００１４】
１００  タイマー回路
１０１  サイリスタ
１０２  リレー
１０３  第1のコンデンサ
１０４  抵抗器
１０５  第２のコンデンサ
【図１】
2012164548.tif 000003
【図２】
2012164548.tif 000004
【図３】
2012164548.tif 000005
(57)【要約】【課題】  本発明は、中空軸の上部に受け具を装着し、中空軸の下部を土台の穴に装着する室内用の物干し台を提供する。【解決手段】  中空軸（１）の上部に受け具（２）を設け、中央に穴を開けた土台（３）を設け、中空軸（１）の下部をこの穴に装着したことを特徴とした室内用の物干し台。【選択図】図１
2012085994.tif 000002
【特許請求の範囲】
【請求項１】
中空軸（１）の上部に受け具（２）を設け、中央に穴を開けた土台（３）を設け、中空軸（１）の下部をこの穴に装着したことを特徴とした室内用の物干し台。
【発明の詳細な説明】
【技術分野】
【０００１】  本発明は、中空軸の上部に受け具を装着し、中空軸の下部を土台の穴に装着する室内用の物干し台に関するものである。
【背景技術】
【０００２】  従来、中空軸を台に装着した室外用の物干や、台を広げて使うパイプ物干などがあった。
【発明の概要】
【発明が解決しようとする課題】
【０００３】  そのために、次のような問題点がある。
（イ）一つは、室外で干すのに使うものなので雨の日は干せない。
（ロ）もう一つは、室内で干せるが物干を立てるのに足の部分を広げて使うので場所を有    する。
本発明は以上の問題点を解決するためになされたものである。
【課題を解決するための手段】
【０００４】  中空軸（１）の上部に受け具（２）を設け、中央に穴を開けた土台（３）を設け、中空軸（１）の下部をこの穴に装着する。
本発明は、以上のような構成よりなる室内用の物干し台。
【発明の効果】
【０００５】（イ）乾かした洗濯物をハンガーごと吊るしておける。
（ロ）雨の降りそうな日でも部屋の中で洗濯物を吊るしたり、布団をかけて出かけても濡    れる心配がない。
（ハ）外出に着た洋服も吊るしておけて部屋が散らからない。
（ニ）土台は部屋の端の方に置いたり自在に場所を変えることができる。
（ホ）除湿機を併用するとなお良い。
（ヘ）近年働く人が増えてただでさえ厄介な洗濯物や布団干しは、誰もが困っている。
梅雨の時期などは、強い味方である。
【図面の簡単な説明】
【０００６】
【図１】  本発明を分解した状態を示した説明図である。
【図２】  本発明の正面図である。
【図３】  本発明の他の実施例を示した正面図である。
【発明を実施するための形態】
【０００７】  以下、本発明の実施の形態について説明する。
（イ）中空軸（１）の上部に受け具（２）を設ける。
（ロ）中空軸（１）の下部を土台（３）の穴に装着する。
本発明は以上のような構成でこれを使用する時は、中空軸の上部に受け具をしっかり装着し、下部は土台の中央に開けた穴に装着し固定する。
これを２台用意し、窓の両端に設置し、竿を渡してハンガーに吊るした洗濯物をかけて干す。
高さを調節し布団も干せる。
中空軸の中程にＪ字形の受け具（４）を取り付けると用途も広がる。
【符号の説明】
【０００８】１    中空軸
２    受け具
２ａ  差し込み式の受け具
２ｂ  ネジ込み式の受け具
２ｃ  ボルト締め式の受け具
３    土台
４    Ｊ字形の受け具
【図１】
2012085994.tif 000003
【図２】
2012085994.tif 000004
【図３】
2012085994.tif 000005
(57)【要約】【課題】ズボンプレッサーを利用する際に、消えかかったズボンの折り目を独自のヒーターを持つ小さいプレッサーで予め付けることによって、ズボンプレッサー本体にズボンを挟め易くして使い易くした小さいプレッサーと一体型のズボンプレッサーを提供する。【解決手段】通常の縦型ズボンプレッサー本体１に予め折り目を付ける独自のヒーターと切りタイマーを持つ小さいプレッサー２とを一体化して、ズボンプレッサー本体１を使い易くしたものである。【選択図】図１
2012085996.tif 000002
【特許請求の範囲】
【請求項１】
通常の縦型ズボンプレッサーの脇に、ズボンの折り目を予め付けるための独自のヒーター部分と独自の切りタイマースイッチを持つ折り目を付けるための小さいプレッサーと、ズボン全体をプレスする本体の大きいプレッサーとを一体化したことを特徴とするズボンプレッサー。
【発明の詳細な説明】
【技術分野】
【０００１】本発明は、通常の縦型ズボンプレッサーの脇に小さい独立したプレッサーを一体化して、下準備としてズボンの折り目を手動にて予め付けておくことにより、本体のズボンプレッサーに合わせ易く、より使い易くしたものである。
【背景技術】
【０００２】従来、ズボンプレッサーを使用するのに、ズボンの折り目が残っていればプレッサーに手軽にズボンを合わせられるのであるが、折り目が消えかかっていると合わせにくく、何回も入れ直しをしなければならなくなり手間がかかり、折り目が二重になってしまう不便さがあった。
【発明の開示】
【発明が解決しようとする課題】
【０００３】長期出張、雨の日の営業、宴会での接待等により、膝部分がよれよれになったズボンでの仕事はいやなものである。これまでは折り目の全く消えかかったズボンをズボンプレッサーにかけるのは、時間を要し何回ものやり直しで大変であった。見える状態にあるプレッサーでも折り目が消えかかっているためにプレッサーを閉じるときに動いたりして二重線になることもしばしばあった。本発明は、この課題を解消するためになされたものである。
【課題を解決するための手段】
【０００４】本発明は、縦型ズボンプレッサーの本体１にズボンの折り目を先に付けてしまう独自の小さいプレッサー２を一体化したものであり、小さいプレッサー２を本体と一緒に開き、その間に無くなりかけたズボンの折り目のところを挟んで、レバーにより固定し、小さいプレッサー２の独立した切りタイマー付きスイッチを入れ、ズボンの上下をそれぞれの手で持って、ローラー３に沿って手動にて移動し折り目を作りあげ、ズボンプレッサー本体１を使いやすくしたものである。
【発明の効果】
【０００５】このようにすれば、おいしい料理も下ごしらえが大事なように、消えかかった折り目を予め下準備として折り目を付けることによって、本体のズボンプレッサーに簡単に挟めるようにしたものであり、何回もやり直して挟むこともなく、二重折り目になる心配もなく、安心して利用できるものである。
【実施例１】
【０００６】図１
【図面の簡単な説明】
【０００７】
【図１】本発明の斜視図である。
【符号の説明】
【０００８】１  ズボンプレッサー本体
２  小さいプレッサー
３  ローラー
４  ローラーの心棒
５  小さいプレッサーのヒーター部分
【図１】
2012085996.tif 000003
(57)【要約】【課題】  通常の垂直に立っているズボンプレッサーにズボンの裾を挟めるすべり止め付きの板を内蔵することにより、ズボンの裾が固定されるため、膝の折り目を伸ばしながらシートで押さて挟むことができ、二重に折り目を付けることが無くなり、ズボンをズボンプレッサーにセットし易くしたズボンプレッサーを提供する。【解決手段】  通常の縦型ズボンプレッサーの垂直に立っているプレッサー１の厚みの中に、ズボンの裾を挟む固定された板２とズボンの裾を挟む可動する板３とをプレッサー内側に内蔵するように設けてその両方の板にはすべり止めを施し、ズボンの裾を挟む可動する板３を開いた状態から閉じるばね付き蝶つがい４を利用し、ズボンの裾を挟む可動する板３を閉じることによって挟み、ズボンの裾を固定することによりズボン全体を伸ばしてプレッサーに挟めるようにしたものである。【選択図】図１
2012085999.tif 000002
【特許請求の範囲】
【請求項１】
通常の縦型ズボンプレッサーの垂直に立っているプレッサーの厚みの中に、ばね付き蝶つがいを持ったズボンを挟む２枚の板をプレッサー内側に空間を設け内蔵するようにして、片方のズボンの裾を挟む板はプレッサー内側に固定し、そのバネ付き蝶つがいを持ったズボンを挟む板は開いた状態から閉じるようにズボンを挟む可動する板からなり、またズボンの裾を挟む板には両方ともすべり止めを施し、ズボンの裾を固定することによりズボン全体を伸ばしてプレッサーに挟めるようにしたズボンプレッサー。
【発明の詳細な説明】
【技術分野】
【０００１】本発明は、通常の縦型ズボンプレッサーの垂直に立っているプレッサーの厚みの中に、ズボンの裾を挟む板をプレッサー内側に内蔵するように設けて、ズボンの裾を挟む板を開いた状態から閉じるばね付き蝶つがいを利用し、ズボンの裾を挟む板にはすべり止めを施し、ズボンの裾を固定することによりズボン全体を伸ばしてプレッサーに挟めるようにしたものである。
【背景技術】
【０００２】従来、ズボンプレッサーを使用するのに、シートで挟むやり方であったが、ズボンを延ばしながら持ち上げてズボンを入れると裾ごと上がってきて、ズボンプレッサーにうまく挟むことができない不便さがあった。
【発明の開示】
【発明が解決しようとする課題】
【０００３】長期出張、雨の日の営業、宴会での接待等により、膝部分がよれよれになったズボンでの仕事はいやなものであり、これまでは折り目の全く消えかかったズボンをズボンプレッサーにかけるのは時間を要し、何回ものやり直しで大変であったため使用するのをためらうこともあった。ズボンが見える状態にあるプレッサーでも折り目が消えかかっているためにプレッサーを閉じるときに動いたりして二重線になることもしばしばあった。本発明は、この課題を解消するためになされたものである。
【課題を解決するための手段】
【０００４】本発明は、通常の縦型ズボンプレッサーの垂直に立っているプレッサー１の厚みの中に、ズボンの裾を挟む固定された板２とズボンの裾を挟む可動する板３とをプレッサー内側に内蔵するように設けてその両方の板にはすべり止めを施し、ズボンの裾を挟む可動する板３を開いた状態から閉じるばね付き蝶つがい４を利用し、ズボンの裾を挟む可動する板３を閉じることによって挟み、ズボンの裾を固定することによりズボン全体を伸ばしてプレッサーに挟めるようにしたものである。
【発明の効果】
【０００５】このようにすれば、裾が固定されているので、消えかかった折り目も伸ばしながらシートで押さえてプレッサーを閉じれば、二重の折り目になる心配もなく、安心してズボンプレッサーにセットできるものである。
【実施例１】
【０００６】図１
【図面の簡単な説明】
【０００７】
【図１】本発明の斜視図である。
【図２】本発明の横から見た断面図である。
【符号の説明】
【０００８】１  垂直に立っているズボンプレッサー
２  ズボンの裾を挟む固定された板
３  ズボンの裾を挟む可動する板
４  裾を挟む板の蝶つがいの心棒
５  ズボンの裾を挟む板を内蔵するスペースの面
【図１】
2012085999.tif 000003
【図２】
2012085999.tif 000004